(57)【要約】      （修正有）【課題】縫製したい二枚の布を、縫製された後、波状の起伏が発生せず、そして同じ速度で安定的に縫製できる四針六糸ミシン用調整式布送り歯を提供する。【解決手段】並列に設けられる、第１作動アーム１０と、第２作動アーム２０とを有するミシンの、第１作動アームに前布送りユニット３０が設けられ、第２作動アームに後ろ布送りユニット４０が設けられる四針六糸ミシン用調整式布送り歯において、前布送りユニットは、上下動できるように第１作動アームに設けられる第１布送り歯と、上下動できるように第１布送り歯３１に設けられる第２布送り歯３２とを有し、後ろ布送りユニットは、上下動できるように第２作動アームに設けられる第３布送り歯４１と、上下動できるように第３布送り歯に設けられる第４布送り歯４２とを有する。【選択図】図３
0003170116.tif 000002
【実用新案登録請求の範囲】
【請求項１】
並列に設けられる、第１作動アーム（１０）と、第２作動アーム（２０）と、を有するミシンの、前記第１作動アーム（１０）に前布送りユニット（３０）が設けられ、前記第２作動アーム（２０）に後ろ布送りユニット（４０）が設けられる四針六糸ミシン用調整式布送り歯であって、
前記前布送りユニット（３０）は、上下動できるように前記第１作動アーム（１０）に設けられる第１布送り歯（３１）と、上下動できるように前記第１布送り歯（３１）に設けられる第２布送り歯（３２）と、を有し、
前記後ろ布送りユニット（４０）は、上下動できるように前記第２作動アーム（２０）に設けられる第３布送り歯（４１）と、上下動できるように前記第３布送り歯（４１）に設けられる第４布送り歯（４２）と、を有し、
前記第１布送り歯（３１）、前記第２布送り歯（３２）、前記第３布送り歯（４１）及び前記第４布送り歯（４２）の上下動により、前記前布送りユニット（３０）と前記後ろ布送りユニット（４０）との前後左右の高さを調整できること
を特徴とする四針六糸ミシン用調整式布送り歯。
【請求項２】
前記第１作動アーム（１０）に第１結合溝（１１）が設けられ、前記第１布送り歯（３１）には、前記第１結合溝（１１）を上下動できる第１結合ブロック（３１１）が設けられることを特徴とする、請求項１に記載の四針六糸ミシン用調整式布送り歯。
【請求項３】
前記第１結合溝（１１）に結合穴（１２）が設けられ、前記第１結合ブロック（３１１）には、前記結合穴（１２）に対応する長穴（３１２）が設けられ、前記結合穴（１２）と前記長穴（３１２）とは螺子（３３）に挿通されて締結することを特徴とする、請求項２に記載の四針六糸ミシン用調整式布送り歯。
【請求項４】
前記第１布送り歯（３１）に第２結合溝（３１３）が設けられ、前記第２布送り歯（３２）には、前記第２結合溝（３１３）を上下動できる第２結合ブロック（３２１）が設けられることを特徴とする、請求項２に記載の四針六糸ミシン用調整式布送り歯。
【請求項５】
前記第２結合溝（３１３）に結合穴（３１４）が設けられ、前記第２結合ブロック（３２１）には、前記結合穴（３１４）に対応する長穴（３２２）が設けられ、前記結合穴（３１４）と前記長穴（３２２）とは螺子（３４）に挿通されて締結することを特徴とする、請求項４に記載の四針六糸ミシン用調整式布送り歯。
【請求項６】
前記第２作動アーム（２０）に第３結合ブロック（２１）が設けられ、前記第３布送り歯（４１）には、前記第３結合ブロック（２１）が上下動できる第３結合溝（４１１）が設けられることを特徴とする、請求項１又は請求項２に記載の四針六糸ミシン用調整式布送り歯。
【請求項７】
前記第３結合ブロック（２１）に結合穴（２２）が設けられ、前記第３結合溝（４１１）には、前記結合穴（２２）に対応する長穴（４１２）が設けられ、前記結合穴（２２）と前記長穴（４１２）とは螺子（４３）に挿通されて締結することを特徴とする、請求項６に記載の四針六糸ミシン用調整式布送り歯。
【請求項８】
前記第３布送り歯（４１）に第４結合溝（４１３）が設けられ、前記第４布送り歯（４２）には、前記第４結合溝（４１３）を上下動できる第４結合ブロック（４２１）が設けられることを特徴とする、請求項６に記載の四針六糸ミシン用調整式布送り歯。
【請求項９】
前記第４結合溝（４１３）に結合穴（４１４）が設けられ、前記第４結合ブロック（４２１）には、前記結合穴（４１４）に対応する長穴（４２２）が設けられ、前記結合穴（４１４）と前記長穴（４２２）とは螺子（４４）に挿通されて締結することを特徴とする、請求項８に記載の四針六糸ミシン用調整式布送り歯。
【考案の詳細な説明】
【技術分野】
【０００１】
本考案は、四針六糸ミシン用調整式布送り歯に関し、特に、二枚の布を縫製しているときに布を送り可能な四針六糸ミシン用調整式布送り歯に関するものである。
【背景技術】
【０００２】
生活レベルの向上に従って、国民は、よりセンスの良いファッションを追求し始めるため、紡績工業技術が成熟し、素材技術が発展し、衣装のデザインも複雑になってきた。これにより、縫製方法はさらに進歩する必要がある。
【０００３】
一般の四針六糸ミシンによって布を縫製しているときには、前布送り歯と後ろ布送り歯とを介して布が送られ、そして糸が通された針を上下動して縫製作業が行われる。上記の布送り歯の構成は図１を参照する。前布送り歯５１が第１作動アーム５０に設けられ、後ろ布送り歯６１が第２作動アーム６０に設けられる。前布送り歯５１と後ろ布送り歯６１とは、それぞれ異なるタイミングで第１作動アーム５０と第２作動アーム６０とに駆動される。これにより、二枚の布を縫製しているときには、二枚の布を前後に引張ることができる。そうすると、縫製された布には波状の起伏が発生しない。しかし、縫製したい二枚の布の厚さが異なる場合には、図２に示すように、前布送り歯５１と後ろ布送り歯６１とに置かれる二枚の布は、そのうちの一枚の布が残りの布よりも低い。これにより、縫製したい二枚の布の前進の速度が異なって、縫製の品質が悪化する。
【０００４】
一方、特許文献１の台湾特許Ｍ４０１０１９号の「ミシン用二差動独立布送り機構の布送り歯」が提案された。このような「ミシン用二差動独立布送り機構の布送り歯」は、第２布送り歯の前後布送り歯段の底縁には、固定片がそれぞれ設けられ、そして調整穴が設けられる。これにより、螺子を前記調整穴に挿通して第２ロッドの側壁にねじ込んだと、前記第２布送り歯の前後端が前記螺子に固定して支持される。そうすると、前後布送り歯段がそれぞれ強固に支持されて、前記第２布送り歯が長期に押圧されて金属疲労して断裂することを回避できる。しかし、このような「ミシン用二差動独立布送り機構の布送り歯」によれば、縫製したい二枚の布が同じ速度で送られて縫製され、前後布送り歯が同じロッドに設けられて駆動され、これにより、縫製された布に波状の起伏が発生し易いという問題がある。
【先行技術文献】
【特許文献】
【０００５】
【特許文献１】台湾特許Ｍ４０１０１９号公報
【考案の概要】
【考案が解決しようとする課題】
【０００６】
本考案の主な目的は、縫製したい二枚の布が縫製された後、波状の起伏が発生せず、そして縫製作業を同じ速度で安定的に行うことができる四針六糸ミシン用調整式布送り歯を提供することにある。
【課題を解決するための手段】
【０００７】
本考案の四針六糸ミシン用調整式布送り歯によると、並列に設けられる、第１作動アーム１０と、第２作動アーム２０と、を有するミシンの、前記第１作動アーム１０に前布送りユニット３０が設けられ、前記第２作動アーム２０に後ろ布送りユニット４０が設けられる四針六糸ミシン用調整式布送り歯であって、
前記前布送りユニット３０は、上下動できるように前記第１作動アーム１０に設けられる第１布送り歯３１と、上下動できるように前記第１布送り歯３１に設けられる第２布送り歯３２と、を有し、前記後ろ布送りユニット４０は、上下動できるように前記第２作動アーム２０に設けられる第３布送り歯４１と、上下動できるように前記第３布送り歯４１に設けられる第４布送り歯４２と、を有し、前記第１布送り歯３１、前記第２布送り歯３２、前記第３布送り歯４１及び前記第４布送り歯４２の上下動により、前記前布送りユニット３０と前記後ろ布送りユニット４０との前後左右の高さを調整できることを特徴とする。
【０００８】
本考案の四針六糸ミシン用調整式布送り歯によると、前記第１作動アーム１０に第１結合溝１１が設けられ、前記第１布送り歯３１には、前記第１結合溝１１を上下動できる第１結合ブロック３１１が設けられることを特徴とする。
【０００９】
本考案の四針六糸ミシン用調整式布送り歯によると、前記第１結合溝１１に結合穴１２が設けられ、前記第１結合ブロック３１１には、前記結合穴１２に対応する長穴３１２が設けられ、前記結合穴１２と前記長穴３１２とは螺子３３に挿通されて締結することを特徴とする。
【００１０】
本考案の四針六糸ミシン用調整式布送り歯によると、前記第１布送り歯３１に第２結合溝３１３が設けられ、前記第２布送り歯３２には、前記第２結合溝３１３を上下動できる第２結合ブロック３２１が設けられることを特徴とする。
【００１１】
本考案の四針六糸ミシン用調整式布送り歯によると、前記第２結合溝３１３に結合穴３１４が設けられ、前記第２結合ブロック３２１には、前記結合穴３１４に対応する長穴３２２が設けられ、前記結合穴３１４と前記長穴３２２とは螺子３４に挿通されて締結することを特徴とする。
【００１２】
本考案の四針六糸ミシン用調整式布送り歯によると、前記第２作動アーム２０に第３結合ブロック２１が設けられ、前記第３布送り歯４１には、前記第３結合ブロック２１が上下動できる第３結合溝４１１が設けられることを特徴とする。
【００１３】
本考案の四針六糸ミシン用調整式布送り歯によると、前記第３結合ブロック２１に結合穴２２が設けられ、前記第３結合溝４１１には、前記結合穴２２に対応する長穴４１２が設けられ、前記結合穴２２と前記長穴４１２とは螺子４３に挿通されて締結することを特徴とする。
【００１４】
本考案の四針六糸ミシン用調整式布送り歯によると、前記第３布送り歯４１に第４結合溝４１３が設けられ、前記第４布送り歯４２には、前記第４結合溝４１３を上下動できる第４結合ブロック４２１が設けられることを特徴とする。
【００１５】
本考案の四針六糸ミシン用調整式布送り歯によると、前記第４結合溝４１３に結合穴４１４が設けられ、前記第４結合ブロック４２１には、前記結合穴４１４に対応する長穴４２２が設けられ、前記結合穴４１４と前記長穴４２２とは螺子４４に挿通されて締結することを特徴とする。
【考案の効果】
【００１６】
本考案の四針六糸ミシン用調整式布送り歯によれば、縫製したい二枚の布は、縫製された後、波状の起伏が発生せず、そして同じ速度で安定的に縫製できるという効果を有する。
【図面の簡単な説明】
【００１７】
【図１】従来の布送り歯の構成を示す分解斜視図である。
【図２】従来の布送り歯による縫製の状態を示す模式図である。
【図３】本考案の一実施例の構成を示す分解斜視図である。
【図４】本考案の前布送りユニットを示す断面図である。（Ａ）は第２布送り歯が上方に動いた状態を示し、（Ｂ）は第２布送り歯が下方に動いた状態を示すものである。
【図５】本考案の後ろ布送りユニットを示す断面図である。（Ａ）は第４布送り歯が上方に動いた状態を示し、（Ｂ）は第４布送り歯が下方に動いた状態を示すものである。
【図６】本考案の一実施例による縫製の状態を示す模式図である。
【考案を実施するための形態】
【００１８】
以下、本考案の実施の形態を図面に基づいて説明する。
まず、図３を参照する。図３は本考案の一実施例の構成を示す分解斜視図である。図３に示すように、本考案の一実施例の四針六糸ミシン用調整式布送り歯は、並列に設けられる、第１作動アーム１０と、第２作動アーム２０と、を有するミシンの、第１作動アーム１０に前布送りユニット３０が設けられ、第２作動アーム２０に後ろ布送りユニット４０が設けられる。第１作動アーム１０と第２作動アーム２０とにより、前布送りユニット３０と後ろ布送りユニット４０とがそれぞれ駆動されて、縫製したい布を送ることができる。
【００１９】
図４を参照する。図４は本考案の前布送りユニットを示す断面図である。図４に示すように、前布送りユニット３０は、第１布送り歯３１と、第２布送り歯３２と、を有する。第１作動アーム１０に第１結合溝１１が設けられ、第１布送り歯３１に第１結合ブロック３１１が設けられる。第１結合ブロック３１１により、第１布送り歯３１は第１結合溝１１を上下動できる。第１結合溝１１に結合穴１２が設けられ、第１結合ブロック３１１には、結合穴１２に対応する長穴３１２が設けられ、結合穴１２と長穴３１２とは螺子３３に挿通されて締結する。第１布送り歯３１に第２結合溝３１３が設けられ、第２布送り歯３２に第２結合ブロック３２１が設けられる。第２結合ブロック３２１により、第２布送り歯３２は第２結合溝３１３を上下動できる。第２結合溝３１３に結合穴３１４が設けられ、第２結合ブロック３２１には、結合穴３１４に対応する長穴３２２が設けられる。結合穴３１４と長穴３２２とは螺子３４に挿通されて締結する。
【００２０】
図５を参照する。図５は本考案の後ろ布送りユニットを示す断面図である。図５に示すように、第２作動アーム２０に第３結合ブロック２１が設けられ、第３布送り歯４１に第３結合溝４１１が設けられる。第３結合溝４１１により、第３布送り歯４１は第３結合ブロック２１を上下動できる。第３結合ブロック２１に結合穴２２が設けられ、第３結合溝４１１には、結合穴２２に対応する長穴４１２が設けられる。結合穴２２と長穴４１２とは螺子４３に挿通されて締結する。第３布送り歯４１に第４結合溝４１３が設けられ、第４布送り歯４２に第４結合ブロック４２１が設けられる。第４結合ブロック４２１により、第４布送り歯４２は第４結合溝４１３を上下動できる。第４結合溝４１３に結合穴４１４が設けられ、第４結合ブロック４２１には、結合穴４１４に対応する長穴４２２が設けられる。結合穴４１４と長穴４２２とは螺子４４に挿通されて締結する。
【００２１】
第１布送り歯３１、第２布送り歯３２、第３布送り歯４１及び第４布送り歯４２のそれぞれの上下動により、前布送りユニット３０と後ろ布送りユニット４０との前後左右の高さを調整できる。これにより、二枚の布を縫製するときには、布の厚さによって前布送りユニット３０と後ろ布送りユニット４０との左右の高さを調整できる。図６を参照する。図６は本考案の一実施例による縫製の状態を示す模式図である。図６に示すように、縫製したい二枚の布の厚さが異なる場合には、一側を高く他側を低くなるように、第１布送り歯３１、第２布送り歯３２（図示せず）、第３布送り歯４１及び第４布送り歯４２を設定して、同じ速度で二枚の布を縫製し、或いは前布送りユニット３０と後ろ布送りユニット４０とをそれぞれ駆動すると、縫製された布に波状の起伏は発生しない。
【００２２】
上記の説明を纏めると、本考案は、前布送りユニット３０と後ろ布送りユニット４０とをそれぞれ二個の布送り歯として設計する。前布送りユニット３０は、上下動できるように第１作動アーム１０に設けられる第１布送り歯３１と、上下動できるように第１布送り歯３１に設けられる第２布送り歯３２と、を有する。後ろ布送りユニット４０は、上下動できるように第２作動アーム２０に設けられる第３布送り歯４１と、上下動できるように第３布送り歯４１に設けられる第４布送り歯４２と、を有する。縫製時に、前布送りユニット３０と後ろ布送りユニット４０とをそれぞれ駆動することにより、縫製後の布に波状の起伏が発生しない他に、縫製作業の要求（例えば縫製したい二枚の布は厚さ及び材質が異なる等）によって、第１布送り歯３１、第２布送り歯３２、第３布送り歯４１及び第４布送り歯４２を上下動することにより、前布送りユニット３０と後ろ布送りユニット４０との前後左右の高さを調整すると、縫製後の布に波状の起伏が発生せず、縫製作業の効率が増加し、縫製された布がもっと綺麗になる。
【００２３】
このように、本考案は、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２４】
本考案は、四針六糸ミシンに適用することができる。
【符号の説明】
【００２５】
１０    第１作動アーム
１１    第１結合溝
１２    結合穴
２０    第２作動アーム
２１    第３結合ブロック
３０    前布送りユニット
３１    第１布送り歯
３２    第２布送り歯
３３    螺子
４０    後ろ布送りユニット
４１    第３布送り歯
４２    第４布送り歯
４３    螺子
４４    螺子
５０    第１作動アーム
５１    前布送り歯
６０    第２作動アーム
６１    後ろ布送り歯
３１１  第１結合ブロック
３１２  長穴
３１３  第２結合溝
３１４  結合穴
３２１  第２結合ブロック
３２２  長穴
４１１  第３結合溝
４１２  長穴
４１３  第４結合溝
４１４  結合穴
４２１  第４結合ブロック
４２２  長穴
【図１】
0003170116.tif 000003
【図２】
0003170116.tif 000004
【図３】
0003170116.tif 000005
【図４】
0003170116.tif 000006
【図５】
0003170116.tif 000007
【図６】
0003170116.tif 000008